(57)【要約】      （修正有）【課題】保安帽子に防蜂網を取付けて、急な使用には、すばやく着用し、使用後には保安帽子と共に収納可能にする。そして、防蜂網に付属している、顔面に付着防止のための鉄線への落雷の危険性等を防止する。【解決手段】防蜂網に付属している、顔面に付着防止または、形状維持の鉄線をビニール質系でコーティング、被服することにより、落雷の危険性を防止した。一度、保安帽子１に防蜂網の網を取り付ければ、使用後は、保安帽子１と共に収納可能にして、急な安全防蜂網の使用を可能にした。【選択図】図１
0003141622.tif 000002
【実用新案登録請求の範囲】
【請求項１】
のり付きマジックテープ（２）を保安帽子（１）の裾へ貼り、収納用メッシュ部分（３）と一体になった防蜂網の網をワンタッチで脱着部に取り付け、防蜂網を保安帽子に装着したものを頭に被り、紐調整具の調整で紐を締め上げて害虫の侵入を防ぐことを特徴とする固定式安全防蜂網。
【請求項２】
保安帽子（１）に防蜂網の網を取り付ければ、使用後は防蜂網の網を上部へ巻き上げ、内側の収納用メッシュ部分（３）を保安帽子（１）に小さくコンパクトにまとめて固定し、保安帽子（１）と共に収納可能であることを特徴とする請求項１記載の固定式安全防蜂網。
【請求項３】
保安帽子（１）に防蜂網の網を取り付ければ、急に防蜂網を使用する場合、収納用メッシュ部分（３）からすばやく取り出し装着出来る形状維持ワイヤー（９）の弾力により、直ちに復元することが可能であることを特徴とする請求項１、請求項２記載の固定式安全防蜂網。
【考案の詳細な説明】
【技術分野】
【０００１】  本考案は、森林作業や農業、養蜂作業において、蜂など、人体に危険を及ぼす害虫から顔面を保護することを目的とする。
【背景技術】
【０００２】  従来の防蜂網は、作業中の持ち運びの際にも、装着し、使用している状態で持ち運びをしなければならないため、かさばり、防蜂網の網が傷みやすい等の問題点がある。また、従来の防蜂網は、使用後もしくは作業後には保安帽子からはずして別に収納するため、急な装着、使用が困難である。そして、細部にあっては、従来の防蜂網は、顔面に付着防止のための鉄線が露出になっているために落雷の危険性がある。
【考案の開示】
【考案が解決しようとする課題】
【０００３】  本考案は、以下のことを解決しようとした。１．防蜂網を持ち運ぶ際の問題点。
２．防蜂網使用後の収納方法。３．急な防蜂網の使用について。４．顔面に付着防止の鉄線が露出しているため、落雷の危険性等である。
【課題を解決するための手段】
【０００４】  本考案は、一度保安帽子へ防蜂網を取付けると、使用後は防蜂網の網を巻き上げ、収納用メッシュ部分で保安帽子へ固定して、保安帽子と共に収納可能とした。【０００５】  急な使用の際は、固定した収納用メッシュ部分を保安帽子の裾方向へ引っ張り下げて、形状維持ワイヤーの弾力によって直ちに防蜂網が使用できるようにした。また、顔面付着防止のための鉄線をビニール質で包み込むことによって落雷の危険性を防止した。
【考案の効果】
【０００６】  一度保安帽子へ防蜂網を取付けると、使用後は防蜂網の網を巻き上げ、収納用メッシュ部分で保安帽子へ固定して、保安帽子と共に収納可能とし、どこでも手軽に持ち運び使用出来ることを特徴とする。【０００７】  防蜂網の網を巻き上げ固定した収納用メッシュ（３）を保安帽子（１）の裾方向へ引き下げて、防蜂網の網を出し、形状維持ワイヤー（８）の弾力によって直ちに防蜂網が使用できる状態に復元し、急な使用が可能であることを特徴とする。【０００８】  防蜂網の網に取り付けてある、顔面に付着防止のための鉄線はビニール質で被覆することにより、従来の防蜂網と比べ、落雷の危険性が減少することを特徴とする。
【考案を実施するための最良の形態】
【０００９】  保安帽子へ防蜂網の網を取付けには、のり付きのマジックテープ（２）を用いた。【００１０】  防蜂網の網の材質は、ナイロン系のメッシュを使用し、顔面部分の網メッシュ（５）には、目の細かい黒色メッシュを用い、顔面外網メッシュ（５）には、白色のメッシュを用いて害虫の接近を防止した。防蜂網の網が顔面に付着防止のために顔面に付着防止ワイヤー（６）を使用した。顔面に付着防止ワイヤー（６）、形状維持ワイヤー（８）は鉄線をビニール質で包み込んで落雷の危険性を防止している。また、下部からの害虫進入防止のために木製の紐調整具（１０）を設け、防蜂網の網の締め上げを調整出来るようにした。【００１１】  防蜂網の網の内側に、裾に伸縮ゴム付の収納用メッシュ（３）を取り付けてあり、使用後は防蜂網の網を巻きあげて、伸縮ゴムによってコンパクトに保安帽子（１）へ固定できるようにした。急な防蜂網の使用には固定した収納用メッシュ（３）を保安帽子（１）の裾方向へ引き下げて、防蜂網の網に取付けた形状維持ワイヤー（８）の弾力によって直ちに防蜂網が使用できる状態に復元する。防蜂網を使用中、収納用メッシュ（３）は、裾に付いた伸縮ゴムによって、保安帽子（１）の裾の裏側へかさばることなく、巻き込むようにして収納する。
【実施例】
【００１２】  のり付きマジックテープ（２）を保安帽子（１）の裾から任意の位置へ、一周するように貼り付ける。収納用メッシュ部分（３）と一体になった防蜂網の網をワンタッチで脱着部に取り付け、そして、防蜂網を保安帽子に装着したものを頭に被り、紐調整具の調整で紐を締め上げて害虫の侵入を防ぐ。【００１３】  一度、保安帽子（１）に防蜂網の網を取り付ければ、使用後は防蜂網の網を巻きあげて、伸縮ゴムによって保安帽子（１）へ固定し、保安帽子（１）と共に収納可能である。
【図面の簡単な説明】
【００１４】
【図１】  防蜂網の保安帽への装着時（使用時）の状態図。
【図２】  防蜂網の保安帽への装着時（収納時）の状態図。
【図３】  防蜂網の網部詳細図。
【符号の説明】
【００１５】  （１）保安帽子
（２）のり付きマジックテープ
（３）収納メッシュ
（４）顔面部分網メッシュ（黒色）
（５）顔面外網メッシュ（白色）
（６）顔面付着防止ワイヤー
（７）ワイヤー固定部
（８）形状維持ワイヤー
（９）紐
（１０）紐調整具
【図１】
0003141622.tif 000003
【図２】
0003141622.tif 000004
【図３】
0003141622.tif 000005
【手続補正書】
【提出日】平成19年9月26日(2007.9.26)
【手続補正１】
【補正対象書類名】実用新案登録請求の範囲
【補正対象項目名】全文
【補正方法】変更
【補正の内容】
【実用新案登録請求の範囲】
【請求項１】
保安帽子（１）の裾の周囲に貼った裏面のり付きマジックテープ（登録商標）（２）に防蜂具を脱着可能に取り付けたものであって、前記防蜂具は、前記裾付近の周囲に位置する収納メッシュ（３）と一体になっており、紐調整具（１０）の紐（９）を締め上げることにより害虫の侵入を防ぐことができるようにしたものであることを特徴とする防蜂具。
【請求項２】
前記収納メッシュ（３）は、伸縮ゴム付の収納メッシュであることを特徴とする請求項１記載の固定式安全防蜂具。
【請求項３】
前記防蜂具の網に、形状維持ワイヤー（８）を取り付けたことを特徴とする請求項１又は請求項２記載の固定式安全防蜂具。
【手続補正２】
【補正対象書類名】明細書
【補正対象項目名】全文
【補正方法】変更
【補正の内容】
【考案の詳細な説明】
【技術分野】
【０００１】  本考案は、森林作業や農業、養蜂作業において、蜂などの人体に危険を及ぼす害虫から顔面を保護することを目的とする。
【背景技術】
【０００２】  従来の防蜂具は、作業中の持ち運びの際にも、装着し、使用している状態で持ち運びをしなければならないため、かさばり、防蜂具の網が傷みやすい等の問題点がある。また、従来の防蜂具は、使用後もしくは作業後には保安帽子からはずして別に収納するため、急な装着、使用が困難である。そして、細部にあっては、従来の防蜂具は、顔面に付着防止のための鉄線が露出になっているために落雷の危険性がある。
【考案の開示】
【考案が解決しようとする課題】
【０００３】  本考案は、以下のことを解決しようとした。１．防蜂具を持ち運ぶ際の問題点。
２．防蜂具使用後の収納方法。３．急な防蜂具の使用について。４．顔面に付着防止の鉄線が露出しているため、落雷の危険性等である。
【課題を解決するための手段】
【０００４】  本考案は、一度保安帽子へ防蜂具を取付けると、使用後は防蜂具の網を巻き上げ、収納メッシュで網を覆い、保安帽子へ固定して、保安帽子と共に収納可能とした。【０００５】  急な使用の際は、固定した収納メッシュを保安帽子の裾方向へ引っ張り下げて、形状維持ワイヤーの弾力によって直ちに防蜂具が使用できるようにした。また、顔面付着防止のための鉄線をビニール質で包み込むことによって落雷の危険性を防止した。
【考案の効果】
【０００６】  一度保安帽子（１）へ防蜂具を取付けると、使用後は防蜂具の網を巻き上げ、収納メッシュ（３）で保安帽子（１）へ固定して、保安帽子（１）と共に収納可能とし、どこでも手軽に持ち運び使用出来ることを特徴とする。【０００７】  防蜂具の網を巻き上げ固定した収納メッシュ（３）を保安帽子（１）の裾方向へ引き下げて、防蜂具の網を出し、形状維持ワイヤー（８）の弾力によって直ちに防蜂具が使用できる状態に復元し、急な使用が可能であることを特徴とする。【０００８】  防蜂具の網に取り付けてある、顔面に付着防止のための鉄線はビニール質で被覆することにより、従来の防蜂具と比べ、落雷の危険性が減少することを特徴とする。
【考案を実施するための最良の形態】
【０００９】  保安帽子へ防蜂具の網を取付けには、のり付きのマジックテープ（登録商標）（２）を用いた。【００１０】  防蜂具の網の材質は、ナイロン系のメッシュを使用し、顔面部分の網メッシュ（４）には、目の細かい黒色メッシュを用い、顔面外網メッシュ（５）には、白色のメッシュを用いて害虫の接近を防止した。防蜂具の網が顔面に付着防止のために顔面に付着防止ワイヤー（６）を使用した。顔面部分の網メッシュ（４）に形状維持ワイヤー（８）を設け、形状維持ワイヤー（８）は鉄線をビニール質で包み込んで落雷の危険性を防止している。また、下部からの害虫進入防止のために木製の紐調整具（１０）を設け、防蜂具の網の締め上げを調整出来るようにした。【００１１】  防蜂具の網の内側に、裾に伸縮ゴム付の収納メッシュ（３）を取り付けてあり、使用後は防蜂具の網を巻きあげて、伸縮ゴムによってコンパクトに保安帽子（１）へ固定できるようにした。急な防蜂具の使用には固定した収納メッシュ（３）を保安帽子（１）の裾方向へ引き下げて、防蜂具の網に取付けた形状維持ワイヤー（８）の弾力によって直ちに防蜂具が使用できる状態に復元する。防蜂具を使用中、収納メッシュ（３）は、裾に付いた伸縮ゴムによって、保安帽子（１）の裾の裏側へかさばることなく、巻き込むようにして収納する。
【実施例】
【００１２】  のり付きマジックテープ（登録商標）（２）を保安帽子（１）の裾から任意の位置へ、一周するように貼り付ける。収納メッシュ（３）と一体になった防蜂具の網をワンタッチで脱着部に取り付け、そして、防蜂具を保安帽子に装着したものを頭に被り、紐調整具の調整で紐を締め上げて害虫の侵入を防ぐ。【００１３】  一度、保安帽子（１）に防蜂具の網を取り付ければ、使用後は防蜂具の網を巻きあげて、伸縮ゴムによって保安帽子（１）へ固定し、保安帽子（１）と共に収納可能である。
【図面の簡単な説明】
【００１４】
【図１】  防蜂具の保安帽への装着時（使用時）の状態図。
【図２】  防蜂具の保安帽への装着時（収納時）の状態図。
【図３】  防蜂具の網部詳細図。
【符号の説明】
【００１５】  （１）保安帽子
（２）のり付きマジックテープ（登録商標）
（３）収納メッシュ
（４）顔面部分網メッシュ（黒色）
（５）顔面外網メッシュ（白色）
（６）顔面付着防止ワイヤー
（７）ワイヤー固定部
（８）形状維持ワイヤー
（９）紐
（１０）紐調整具
【手続補正書】
【提出日】平成20年1月15日(2008.1.15)
【手続補正１】
【補正対象書類名】実用新案登録請求の範囲
【補正対象項目名】全文
【補正方法】変更
【補正の内容】
【実用新案登録請求の範囲】
【請求項１】
保安帽子（１）の裾へ一周するように貼り付けたのり付きマジックテープ（登録商標）（２）と、上部がこののり付きマジックテープ（登録商標）（２）によって保安帽子（１）へ脱着可能に取付けられ、使用時に顔の周囲を筒状に覆うとともに使用後に巻き上げ可能な防蜂網の網と、防蜂網の網の上部の内側に取付けられて、巻き上げられた防蜂網の網を収納しうる収納メッシュ（３）とを具備してなり、防蜂網の網の裾に取付けられた紐（９）と、この紐（９）に取付けられて紐（９）を締め上げることのできる紐調整具（１０）とを具備してなることを特徴とする防蜂網。
【請求項２】
収納メッシュ（３）は、裾に伸縮ゴムが付けられており、このゴム伸縮によって、巻き上げた防蜂網の網を保安帽子（１）へ固定しうる請求項１記載の防蜂網。
【請求項３】
防蜂網の網に、ビニール質で包み込んだ鉄線からなる形状維持ワイヤー（８）が取付けられ、防蜂網の網を巻き上げ固定した収納メッシュ（３）を保安帽子（１）の裾方向へ引っ張り下げて防蜂網の網を出すと、前記形状維持ワイヤー（８）の弾力によって防蜂網の網が直ちに使用できる状態に復元する請求項２記載の防蜂網。
【手続補正２】
【補正対象書類名】明細書
【補正対象項目名】全文
【補正方法】変更
【補正の内容】
【考案の詳細な説明】
【技術分野】
【０００１】  本考案は、森林作業や農業、養蜂作業において、蜂などの人体に危険を及ぼす害虫から顔面を保護することを目的とする。
【背景技術】
【０００２】  従来の防蜂網は、作業中の持ち運びの際にも、装着し、使用している状態で持ち運びをしなければならないため、かさばり、防蜂網の網が傷みやすい等の問題点がある。また、従来の防蜂網は、使用後もしくは作業後には保安帽子からはずして別に収納するため、急な装着、使用が困難である。そして、細部にあっては、従来の防蜂網は、顔面に付着防止のための鉄線が露出になっているために落雷の危険性がある。
【考案の開示】
【考案が解決しようとする課題】
【０００３】  本考案は、以下のことを解決しようとした。１．防蜂網を持ち運ぶ際の問題点。
２．防蜂網使用後の収納方法。３．急な防蜂網の使用について。４．顔面に付着防止の鉄線が露出しているため、落雷の危険性等である。
【課題を解決するための手段】
【０００４】  本考案は、一度保安帽子へ防蜂網を取付けると、使用後は防蜂網の網を巻き上げ、収納メッシュで網を覆い、保安帽子へ固定して、保安帽子と共に収納可能とした。【０００５】  急な使用の際は、固定した収納メッシュを保安帽子の裾方向へ引っ張り下げて、形状維持ワイヤーの弾力によって直ちに防蜂網が使用できるようにした。また、顔面付着防止のための鉄線をビニール質で包み込むことによって落雷の危険性を防止した。
【考案の効果】
【０００６】  一度保安帽子（１）へ防蜂網を取付けると、使用後は防蜂網の網を巻き上げ、収納メッシュ（３）で保安帽子（１）へ固定して、保安帽子（１）と共に収納可能とし、どこでも手軽に持ち運び使用出来ることを特徴とする。【０００７】  防蜂網の網を巻き上げ固定した収納メッシュ（３）を保安帽子（１）の裾方向へ引き下げて、防蜂網の網を出し、形状維持ワイヤー（８）の弾力によって直ちに防蜂網が使用できる状態に復元し、急な使用が可能であることを特徴とする。【０００８】  防蜂網の網に取り付けてある、顔面に付着防止のための鉄線はビニール質で被覆することにより、従来の防蜂網と比べ、落雷の危険性が減少することを特徴とする。
【考案を実施するための最良の形態】
【０００９】  保安帽子へ防蜂網の網の取付けには、のり付きのマジックテープ（登録商標）（２）を用いた。【００１０】  防蜂網の網の材質は、ナイロン系のメッシュを使用し、顔面部分の網メッシュ（４）には、目の細かい黒色メッシュを用い、顔面外網メッシュ（５）には、白色のメッシュを用いて害虫の接近を防止した。防蜂網の網が顔面に付着防止のために顔面に付着防止ワイヤー（６）を使用した。顔面部分の網メッシュ（４）に形状維持ワイヤー（８）を設け、形状維持ワイヤー（８）は鉄線をビニール質で包み込んで落雷の危険性を防止している。また、下部からの害虫進入防止のために木製の紐調整具（１０）を設け、防蜂網の網の締め上げを調整出来るようにした。【００１１】  防蜂網の網の内側に、裾に伸縮ゴム付の収納メッシュ（３）を取り付けてあり、使用後は防蜂網の網を巻きあげて、伸縮ゴムによってコンパクトに保安帽子（１）へ固定できる                                                                          （３）ようにした。急な防蜂網の使用には固定した収納メッシュ（３）を保安帽子（１）の裾方向へ引き下げて、防蜂網の網に取付けた形状維持ワイヤー（８）の弾力によって直ちに防蜂網が使用できる状態に復元する。防蜂網を使用中、収納メッシュ（３）は、裾に付いた伸縮ゴムによって、保安帽子（１）の裾の裏側へかさばることなく、巻き込むようにして収納する。
【実施例】
【００１２】  のり付きマジックテープ（登録商標）（２）を保安帽子（１）の裾から任意の位置へ、一周するように貼り付ける。収納メッシュ（３）と一体になった防蜂網の網をワンタッチで脱着部に取り付け、そして、防蜂網を保安帽子に装着したものを頭に被り、紐調整具の調整で紐を締め上げて害虫の侵入を防ぐ。【００１３】  一度、保安帽子（１）に防蜂網の網を取り付ければ、使用後は防蜂網の網を巻きあげて、伸縮ゴムによって保安帽子（１）へ固定し、保安帽子（１）と共に収納可能である。
【図面の簡単な説明】
【００１４】
【図１】  防蜂網の保安帽への装着時（使用時）の状態図。
【図２】  防蜂網の保安帽への装着時（収納時）の状態図。
【図３】  防蜂網の網部詳細図。
【符号の説明】
【００１５】  （１）保安帽子
（２）のり付きマジックテープ（登録商標）
（３）収納メッシュ
（４）顔面部分網メッシュ（黒色）
（５）顔面外網メッシュ（白色）
（６）顔面付着防止ワイヤー
（７）ワイヤー固定部
（８）形状維持ワイヤー
（９）紐
（１０）紐調整具